【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
受信する放送を切替える選局部を備え、移動体に搭載される受信装置であって、
前記選局部で選局された放送の放送信号における電波強度の時間変化に基づいて品質評価信号を生成する品質評価信号生成手段と、
前記品質評価信号生成手段によって生成された品質評価信号を用いて前記選局部の切替を制御するチャンネル切替制御手段と、
を備えたことを特徴とする受信装置。
【請求項２】
前記品質評価信号生成手段は、前記電波強度のレベル変動を制御する自動利得制御電圧を用いて品質評価信号を生成することを特徴とする請求項１に記載の受信装置。
【請求項３】
前記チャンネル切替制御手段は、前記自動利得制御電圧の時間変化量が第１の閾値以上に増加した場合、前記受信放送を保持し、前記時間変化量が第１の閾値以上に増加した後、前記自動利得制御電圧が第２の閾値以上である状態が第１の所定の切替時間以上継続した場合、前記受信放送を切替ることを特徴とする請求項１または２に記載の受信装置。
【請求項４】
前記チャンネル切替制御手段は、前記自動利得制御電圧の時間変化量が第１の閾値未満であり、前記自動利得制御電圧が上昇している状態が第２の所定の切替時間以上継続した場合、前記受信放送を切替えることを特徴とする請求項１または２に記載の受信装置。
【請求項５】
前記移動体の位置を取得する移動体位置取得手段と、
前記受信放送に関する情報を前記移動体の位置に対応付けて記憶する受信チャンネル位置対応記憶手段と、をさらに備え、
前記チャンネル切替制御手段は、前記受信放送を保持した場合、前記自動利得制御電圧の時間変化量が第１の閾値以上に増加する前の前記受信放送に関する情報を前記移動体位置取得手段によって取得された移動体の位置に対応付けて前記受信チャンネル位置対応記憶手段に記憶することを特徴とする請求項１、２または３に記載の受信装置。
【請求項６】
前記チャンネル切替制御手段は、前記自動利得制御電圧の時間変化量が第１の閾値未満であり、前記自動利得制御電圧が上昇している状態が第２の所定の切替時間以上継続していることが複数回検出された場合、前記受信放送を切替えることを特徴とする請求項１、２または４に記載の受信装置。
【請求項７】
前記自動利得制御電圧の時間変化量の平均値を算出する平均値算出手段をさらに備え、
前記チャンネル切替制御手段は、前記平均値算出手段によって算出された自動利得制御電圧の時間変化量の平均値が第１の閾値未満であり、前記自動利得制御電圧が上昇している状態が第２の所定の切替時間以上継続している場合、前記受信放送を切替えることを特徴とする請求項１、２または４に記載の受信装置。
【請求項８】
前記移動体の速度を検出する速度検出手段を備え、
前記チャンネル切替制御手段は、前記速度検出手段によって検出された移動体の速度に基づいて前記第２の所定の切替時間を変更することを特徴とする請求項１、２または４に記載の受信装置。
【請求項９】
前記受信放送と受信距離とを対応付けて記憶する受信チャンネル距離対応記憶手段をさらに備え、
前記チャンネル切替制御手段は、前記受信チャンネル距離対応記憶手段に記憶された前記受信放送に基づいて前記第２の所定の切替時間を変更することを特徴とする請求項１、２または４に記載の受信装置。
【請求項１０】
前記チャンネル切替制御手段は、前記受信チャンネルを切替える場合、前記アナログ放送またはデジタル放送を出力する出力装置に前記受信放送を切り替えた後に受信する放送に関する情報を表示させることを特徴とする請求項１〜９のいずれか１つに記載の受信装置。
【請求項１１】
前記チャンネル切替制御手段は、前記受信放送を切替える場合、前記アナログ放送またはデジタル放送を出力する出力装置に他の受信放送に切替えるか否かの応答要求を表示させることを特徴とする請求項１〜９のいずれか１つに記載の受信装置。
【請求項１２】
前記チャンネル切替制御手段は、前記応答要求に対する応答に基づいて前記選局部の切替を制御することを特徴とする請求項１１に記載の受信装置。
【請求項１３】
前記チャンネル切替制御手段は、前記受信放送を切替える場合、前記アナログ放送またはデジタル放送を出力する出力装置に切り替え先の受信放送に関する情報を入力する切替情報を表示させ、前記切替情報に入力された前記受信放送に切替えることを特徴とする請求項１〜９のいずれか１つに記載の受信装置。
【請求項１４】
受信する放送を切替える選局手段を備え、移動体に搭載される受信装置に用いられる受信方法であって、
前記選局手段で選局された放送の放送信号における電波強度の時間変化に基づいて品質評価信号を生成する品質評価信号生成工程と、
前記品質評価信号生成工程によって生成された品質評価信号を用いて前記選局手段の切替を制御するチャンネル切替制御工程と、
を含むことを特徴とする受信方法。
【手続補正２】
【補正対象書類名】明細書
【補正対象項目名】０００９
【補正方法】変更
【補正の内容】
【０００９】
上述した課題を解決し、目的を達成するため、請求項１の発明に係る受信装置は、受信する放送を切替える選局部を備え、移動体に搭載される受信装置であって、前記選局部で選局された放送の放送信号における電波強度の時間変化に基づいて品質評価信号を生成する品質評価信号生成手段と、前記品質評価信号生成手段によって生成された品質評価信号を用いて前記選局部の切替を制御するチャンネル切替制御手段と、を備えたことを特徴とする。
【手続補正３】
【補正対象書類名】明細書
【補正対象項目名】００１１
【補正方法】変更
【補正の内容】
【００１１】
また、請求項２の発明に係る受信装置は、請求項１の発明において、前記品質評価信号生成手段は、前記電波強度のレベル変動を制御する自動利得制御電圧を用いて品質評価信号を生成することを特徴とする。
【手続補正４】
【補正対象書類名】明細書
【補正対象項目名】００１３
【補正方法】変更
【補正の内容】
【００１３】
また、請求項３の発明に係る受信装置は、請求項１または２の発明において、前記チャンネル切替制御手段は、前記自動利得制御電圧の時間変化量が第１の閾値以上に増加した場合、前記受信放送を保持し、前記時間変化量が第１の閾値以上に増加した後、前記自動利得制御電圧が第２の閾値以上である状態が第１の所定の切替時間以上継続した場合、前記受信放送を切替ることを特徴とする。
【手続補正５】
【補正対象書類名】明細書
【補正対象項目名】００１５
【補正方法】変更
【補正の内容】
【００１５】
また、請求項４の発明に係る受信装置は、請求項１または２の発明において、前記チャンネル切替制御手段は、前記自動利得制御電圧の時間変化量が第１の閾値未満であり、前記自動利得制御電圧が上昇している状態が第２の所定の切替時間以上継続した場合、前記受信放送を切替えることを特徴とする。
【手続補正６】
【補正対象書類名】明細書
【補正対象項目名】００１７
【補正方法】変更
【補正の内容】
【００１７】
また、請求項５の発明に係る受信装置は、請求項１、２または３の発明において、前記移動体の位置を取得する移動体位置取得手段と、前記受信放送に関する情報を前記移動体の位置に対応付けて記憶する受信チャンネル位置対応記憶手段と、をさらに備え、前記チャンネル切替制御手段は、前記受信放送を保持した場合、前記自動利得制御電圧の時間変化量が第１の閾値以上に増加する前の前記受信放送に関する情報を前記移動体位置取得手段によって取得された移動体の位置に対応付けて前記受信チャンネル位置対応記憶手段に記憶することを特徴とする。
【手続補正７】
【補正対象書類名】明細書
【補正対象項目名】００１９
【補正方法】変更
【補正の内容】
【００１９】
また、請求項６の発明に係る受信装置は、請求項１、２または４の発明において、前記チャンネル切替制御手段は、前記自動利得制御電圧の時間変化量が第１の閾値未満であり、前記自動利得制御電圧が上昇している状態が第２の所定の切替時間以上継続していることが複数回検出された場合、前記受信放送を切替えることを特徴とする。
【手続補正８】
【補正対象書類名】明細書
【補正対象項目名】００２１
【補正方法】変更
【補正の内容】
【００２１】
また、請求項７の発明に係る受信装置は、請求項１、２または４の発明において、前記自動利得制御電圧の時間変化量の平均値を算出する平均値算出手段をさらに備え、前記チャンネル切替制御手段は、前記平均値算出手段によって算出された自動利得制御電圧の時間変化量の平均値が第１の閾値未満であり、前記自動利得制御電圧が上昇している状態が第２の所定の切替時間以上継続している場合、前記受信放送を切替えることを特徴とする。
【手続補正９】
【補正対象書類名】明細書
【補正対象項目名】００２３
【補正方法】変更
【補正の内容】
【００２３】
また、請求項８の発明に係る受信装置は、請求項１、２または４の発明において、前記移動体の速度を検出する速度検出手段を備え、前記チャンネル切替制御手段は、前記速度検出手段によって検出された移動体の速度に基づいて前記第２の所定の切替時間を変更することを特徴とする。
【手続補正１０】
【補正対象書類名】明細書
【補正対象項目名】００２５
【補正方法】変更
【補正の内容】
【００２５】
また、請求項９の発明に係る受信装置は、請求項１、２または４の発明において、前記受信放送と受信距離とを対応付けて記憶する受信チャンネル距離対応記憶手段をさらに備え、前記チャンネル切替制御手段は、前記受信チャンネル距離対応記憶手段に記憶された前記受信放送に基づいて前記第２の所定の切替時間を変更することを特徴とする。
【手続補正１１】
【補正対象書類名】明細書
【補正対象項目名】００２７
【補正方法】変更
【補正の内容】
【００２７】
また、請求項１０の発明に係る受信装置は、請求項１〜９の発明において、前記チャンネル切替制御手段は、前記受信チャンネルを切替える場合、前記アナログ放送またはデジタル放送を出力する出力装置に前記受信放送を切り替えた後に受信する放送に関する情報を表示させることを特徴とする。
【手続補正１２】
【補正対象書類名】明細書
【補正対象項目名】００２９
【補正方法】変更
【補正の内容】
【００２９】
また、請求項１１の発明に係る受信装置は、請求項１〜９の発明において、前記チャンネル切替制御手段は、前記受信放送を切替える場合、前記アナログ放送またはデジタル放送を出力する出力装置に他の受信放送に切替えるか否かの応答要求を表示させることを特徴とする。
【手続補正１３】
【補正対象書類名】明細書
【補正対象項目名】００３１
【補正方法】変更
【補正の内容】
【００３１】
また、請求項１２の発明に係る受信装置は、請求項１１の発明において、前記応答要求に対する応答に基づいて前記選局部の切替を制御することを特徴とする。
【手続補正１４】
【補正対象書類名】明細書
【補正対象項目名】００３３
【補正方法】変更
【補正の内容】
【００３３】
また、請求項１３の発明に係る受信装置は、請求項１〜９の発明において、前記チャンネル切替制御手段は、前記受信放送を切替える場合、前記アナログ放送またはデジタル放送を出力する出力装置に切り替え先の受信放送に関する情報を入力する切替情報を表示させ、前記切替情報に入力された前記受信放送に切替えることを特徴とする。
【手続補正１５】
【補正対象書類名】明細書
【補正対象項目名】００３５
【補正方法】変更
【補正の内容】
【００３５】
また、請求項１４の発明に係る受信方法は、受信する放送を切替える選局手段を備え、移動体に搭載される受信装置に用いられる受信方法であって、前記選局手段で選局された放送の放送信号における電波強度の時間変化に基づいて品質評価信号を生成する品質評価信号生成工程と、前記品質評価信号生成工程によって生成された品質評価信号を用いて前記選局手段の切替を制御するチャンネル切替制御工程と、を含むことを特徴とする。